(57)【要約】  【課題】  アナログ専用線を用いて構内交換機が収容可能なアナログ電話機、ディジタル電話機およびＩＳＤＮ電話機等の各種電話機を遠隔地に設置することが可能な構内交換システムを提供する。  【解決手段】  構内交換システム１は、回線Ｌを介して電話機ＴＥＬと接続する電話機側信号変換手段６を備えた電話機側回線変換装置２と、回線Ｌを介して構内交換機４の内線トランク８と接続する交換機側信号変換手段７を備えた交換機側回線変換装置３と、電話機側回線変換装置２と交換機側回線変換装置３を接続するアナログ専用線５とから構成する。【選択図】  図１
2006060601.tif 000002
【特許請求の範囲】
【請求項１】
回線に接続される電話機と、前記回線を収容する内線トランクを有する構内交換機と、からなる構内交換システムにおいて、
前記電話機を接続する電話機側回線変換装置と、前記内線トランクと接続する交換機側回線変換装置と、前記電話機側回線変換装置と前記交換機側回線変換装置とを接続するアナログ専用線を含み、前記電話機側回線変換装置は、前記アナログ専用線上で、前記交換機側回線変換装置とディジタル信号形式の呼制御情報および音声情報をモデム信号で遣り取りする電話機側信号変換手段を備え、前記交換機側回線変換装置は、前記アナログ専用線上で、前記電話機側回線変換装置とディジタル信号形式の呼制御情報および音声情報をモデム信号で遣り取りする交換機側信号変換手段を備えたことを特徴とする構内交換システム。
【請求項２】
アナログ専用線に接続されるアナログ電話機と、ディジタル専用線に接続されるディジタル電話機と、ＩＳＤＮ専用線に接続されるＩＳＤＮ電話機と、前記アナログ専用線を収容するアナログ内線トランク、前記ディジタル専用線を収容するディジタル内線トランクおよび前記ＩＳＤＮ専用線を収容するＩＳＤＮ内線トランクを有する構内交換機と、からなる構内交換システムにおいて、
前記アナログ電話機、前記ディジタル電話機および前記ＩＳＤＮ電話機を接続する電話機側回線変換装置と、前記アナログ内線トランク、前記ディジタル内線トランクおよび前記ＩＳＤＮ内線トランクを接続する交換機側回線変換装置と、前記電話機側回線変換装置と前記交換機側回線変換装置を接続する単一のアナログ専用線と、からなる回線集約・変換手段を備え、前記アナログ専用線、前記ディジタル専用線および前記ＩＳＤＮ専用線を前記単一のアナログ専用線に集約して回線変換することを特徴とする構内交換システム。
【請求項３】
前記端末側回線変換装置は、前記アナログ電話機からのアナログ信号、前記ディジタル電話機からのディジタル信号および前記ＩＳＤＮ電話機からのＩＳＤＮ信号をＩＰ信号に変換してＩＰパケットとし、ＩＰパケットに変調を施したモデム信号を単一のアナログ専用線を介して前記交換機側回線変換装置に伝送するとともに、前記交換機側回線変換装置から前記単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれ前記アナログ電話機、前記ディジタル電話機および前記ＩＳＤＮ電話機に伝送することを特徴とする請求項２記載の構内交換システム。
【請求項４】
前記交換機側回線変換装置は、前記アナログ内線トランクからのアナログ信号、前記ディジタル内線トランクからのディジタル信号および前記ＩＳＤＮ内線トランクからのＩＳＤＮ信号をＩＰ信号に変換してＩＰパケットとし、ＩＰパケットに変調を施したモデム信号を単一のアナログ専用線を介して前記端末側回線変換装置に伝送するとともに、前記端末側回線変換装置から前記単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれ前記アナログ内線トランク、前記ディジタル内線トランクおよび前記ＩＳＤＮ内線トランクに伝送することを特徴とする請求項２記載の構内交換システム。
【請求項５】
前記電話機側回線変換装置および前記交換機側回線変換装置は、アナログ信号、ディジタル信号およびＩＮＳ信号をＩＰ信号に変換してＩＰパケットにするとともに、ＩＰパケットをＩＰ信号に変換し、アナログ信号、ディジタル信号およびＩＮＳ信号に逆変換するＩＰ変換装置と、前記ＩＰ変換装置が変換したＩＰ信号をモデム信号に変調して前記単一のアナログ専用線に伝送するとともに、前記単一のアナログ専用線から伝送されてくるモデム信号をＩＰ信号に復調するモデム装置と、を備えたことを特徴とする請求項３または請求項４記載の構内交換システム。
【請求項６】
電話機からの呼制御情報および音声情報を所定信号に変換し、アナログ専用線を介して所定信号を伝送するとともに、アナログ専用線からの所定信号を逆変換して構内交換機に提供する構内交換システムの回線変換方法であって、
電話機から呼制御情報（ＪＣ）および音声情報（ＪＡ）を受信するステップＳ１と、
呼制御情報（ＪＣ）および音声情報（ＪＡ）をＩＰ信号（ＳＩＰ）に変換するステップＳ２と、
ＩＰ信号（ＳＩＰ）に変調を施し、変調信号（ＳＭ）を出力するステップＳ３と、
アナログ専用線を介して変調信号（ＳＭ）を伝送するステップＳ４と、
変調信号（ＳＭ）をＩＰ信号（ＳＩＰ）に復調するステップＳ５と、
ＩＰ信号（ＳＩＰ）を呼制御情報（ＪＣ）および音声情報（ＪＡ）に逆変換するステップＳ６と、
呼制御情報（ＪＣ）および音声情報（ＪＡ）を構内交換機に伝送するステップＳ７と、
を備えたことを特徴とする構内交換システムの回線変換方法。
【請求項７】
アナログ電話機からのアナログ信号（ＳＡ）、ディジタル電話機からのディジタル信号（ＳＤ）およびＩＳＤＮ電話機からのＩＳＤＮ信号（ＳＩ）を統一信号に変換し、アナログ専用線を介して統一信号を伝送し、統一信号をアナログ信号、ディジタル信号およびＩＳＤＮ信号に逆変換して構内交換機に提供する構内交換システムの回線集約・変換方法であって、
電話機からアナログ信号（ＳＡ）、ディジタル信号（ＳＤ）およびＩＳＤＮ信号（ＳＩ）を受信するステップＰ１１と、
アナログ信号（ＳＡ）、ディジタル信号（ＳＤ）およびＩＳＤＮ信号（ＳＩ）をＩＰ信号（ＳＰ）に変換するステップＰ１２と、
ＩＰ信号（ＳＰ）に変調を施し、変調信号（ＳＭ）を出力するステップＰ１３と、
単一のアナログ専用線を介して変調信号（ＳＭ）を伝送するステップＰ１４と、
変調信号（ＳＭ）を受信し、ＩＰ信号（ＳＰ）に復調するステップＰ１５と、
ＩＰ信号（ＳＰ）をアナログ信号（ＳＡ）、ディジタル信号（ＳＤ）およびＩＳＤＮ信号（ＳＩ）に逆変換するステップＰ１６と、
アナログ信号（ＳＡ）、ディジタル信号（ＳＤ）およびＩＳＤＮ信号（ＳＩ）を構内交換機に伝送するステップＰ１７と、
を備えたことを特徴とする構内交換システムの回線集約・変換方法。
【発明の詳細な説明】
【技術分野】
【０００１】
本発明は構内交換機と、アナログ回線、ディジタル回線およびＩＳＤＮ回線等を介して構内交換機に収容されるアナログ電話機、ディジタル電話機およびＩＳＤＮ電話機等からなる構内交換システムに係り、特に構内交換機および電話機を変更することなく、アナログ専用線を用いて、アナログ電話機、ディジタル電話機およびＩＳＤＮ電話機等の電話機を遠隔地に設置可能にする構内交換システムに関する。また、アナログ回線、ディジタル回線およびＩＳＤＮ回線を単一のアナログ回線に回線集約し、このアナログ回線を用いて、構内交換機とアナログ電話機、ディジタル電話機およびＩＳＤＮ電話機等との相互間を通信させる構内交換システムに関する。
【背景技術】
【０００２】
従来の構内交換システムにおいて、アナログ電話機と、ディジタル電話機と、ＩＳＤＮ電話機とをそれぞれアナログ回線、ディジタル回線、ＩＳＤＮ回線で接続し、これらアナログ回線、ディジタル回線、ＩＳＤＮ回線を構内交換機に収容したものが知られている。
【０００３】
このように構成された従来の構内交換システムは、アナログ電話機と構内交換機との間では、アナログ回線を介してアナログ信号で通信が行われ、ディジタル電話機と構内交換機との間では、ディジタル回線を介してディジタル信号で通信が行われ、ＩＳＤＮ電話機と構内交換機との間では、ＩＳＤＮ回線を介してＩＳＤＮ信号で通信が行われる。
【０００４】
また、従来の構内交換システムの使用形態においては、電話機を遠隔地に設置する必要も生じ得るが、この場合には回線特性による線路長制限の問題や回線敷設の問題等により、構内交換機から直接引き出されているアナログ回線、ディジタル回線およびＩＳＤＮ回線に電話機を接続することができないため、図１４に示すように、公衆電話網が提供する専用線を用いる形態を取る。
【０００５】
図１４に従来の構内交換システムのシステム構成図を示す。図１４において、構内交換システム５０は、アナログ内線トランクＴＲＡ、ディジタル内線トランクＴＲＤおよびＩＳＤＮ内線トランクＴＲＩを備えた構内交換機５１、アナログ内線トランクＴＲＡに収容されるアナログ専用線ＣＡ、ディジタル内線トランクＴＲＤに収容されるディジタル専用線ＣＤおよびＩＳＤＮ内線トランクＴＲＩに収容されるＩＳＤＮ専用線ＣＩ、ならびにアナログ専用線ＣＡに接続されるアナログ電話機Ａ−ＴＥＬ、ディジタル専用線ＣＤに接続されるディジタル電話機Ｄ−ＴＥＬ、ＩＳＤＮ専用線ＣＩに接続されるＩＳＤＮ電話機Ｉ−ＴＥＬとから構成される。
【０００６】
アナログ電話機Ａ−ＴＥＬ、ディジタル電話機Ｄ−ＴＥＬおよびＩＳＤＮ電話機Ｉ−ＴＥＬを遠隔地に設置する場合には、それぞれの電話機の種別に応じたアナログ専用線ＣＡ、ディジタル専用線ＣＤおよびＩＳＤＮ専用線ＣＩを、それぞれの電話機の台数に相当する数（本数）を敷設することが必要となる。
【０００７】
また、従来の構内交換システムは、本願出願人が「特許文献１」（ディジタル通信システム及びディジタル通信装置）で開示したように、アナログ電話機がアナログ回線を介して構内交換機に接続されているシステムを、アナログ電話機側に通信装置（Ａ）、構内交換機側に通信装置（Ｂ）をそれぞれ設け、通信装置（Ａ）と通信装置（Ｂ）をディジタル専用線で接続し、アナログ電話機と通信装置（Ａ）間および構内交換機と通信装置（Ｂ）間をアナログ信号で伝送し、通信装置（Ａ）と通信装置（Ｂ）間をアナログ信号からディジタル信号に変換してディジタル専用線を介して伝送するようにしている。
【０００８】
このように構成された「特許文献１」記載の従来の構内交換システムは、既存の構内交換機およびアナログ電話機を何ら変更することなく、遠隔地に設置された既存のアナログ電話機をディジタル専用線を介して既存の構内交換機に接続可能となる。
【特許文献１】特開２００３−１７４６５７号公報
【発明の開示】
【発明が解決しようとする課題】
【０００９】
従来の構内交換システムは、端末機側がアナログ電話機Ａ−ＴＥＬ、ディジタル電話機Ｄ−ＴＥＬおよびＩＳＤＮ電話機Ｉ−ＴＥＬと等の様々な種別の電話機が接続可能であり、これらの各種電話機を遠隔地に設置するためには、それぞれの種別に応じて、アナログ専用線ＣＡ、ディジタル専用線ＣＤおよびＩＳＤＮ専用線ＣＩの敷設が必要となる。
【００１０】
したがって、例えば既設の構内交換システムとして、アナログ電話機Ａ−ＴＥＬが設置されている場合において、ディジタル電話機Ｄ−ＴＥＬやＩＳＤＮ電話機Ｉ−ＴＥＬへの入れ替えをする場合には、入れ替えをする電話機の種別に対応した専用線（例えば、ＩＳＤＮ電話機Ｉ−ＴＥＬの場合にはＩＳＤＮ専用線ＣＩ）を敷設する必要が生じる。
【００１１】
また、電話機を増設する場合には、アナログ電話機Ａ−ＴＥＬ、ディジタル電話機Ｄ−ＴＥＬおよびＩＳＤＮ電話機Ｉ−ＴＥＬ等の増設を行う場合も同様に、増設する電話機の種別に対応した専用線（例えば、ディジタル電話機Ｄ−ＴＥＬの場合にはディジタル専用線ＣＤ）を敷設しなければならないため、専用線の増加に伴って費用が増加し、経済的な課題がある。
【００１２】
また、「特許文献１」に開示された従来の構内交換システムは、アナログ電話機とディジタル電話機は、ディジタル専用線を介して構内交換機に接続できるが、ＩＳＤＮ電話機を構内交換機に接続する場合には、ＩＳＤＮ専用線を敷設しなければならず、また、ＩＳＤＮ電話機を増設する際には、ＩＳＤＮ専用線の増加に伴って費用が増加し、経済的な課題が発生する。
【００１３】
この発明はこのような課題を解決するためになされたもので、第一の目的はアナログ専用線を用いて構内交換機が収容可能なアナログ電話機、ディジタル電話機およびＩＳＤＮ電話機等の各種電話機を遠隔地に設置することが可能な構内交換システムおよびその回線変換方法を提供することにある。
【００１４】
また、第二の目的は種類の異なる電話機（アナログ電話機、ディジタル電話機、ＩＳＤＮ電話機）を増設しても、単一のアナログ専用線で通信が可能な、利便性が高く経済的な構内交換システムおよびその回線集約・変換方法を提供することにある。
【課題を解決するための手段】
【００１５】
前記課題を解決するためこの発明に係る構内交換システムは、回線に接続される電話機と、回線を収容する内線トランクを有する構内交換機とからなる構内交換システムにおいて、電話機を接続する電話機側回線変換装置と、内線トランクと接続する交換機側回線変換装置と、電話機側回線変換装置と交換機側回線変換装置とを接続するアナログ専用線を含み、電話機側回線変換装置は、アナログ専用線上で、交換機側回線変換装置とディジタル信号形式の呼制御情報および音声情報をモデム信号で遣り取りする電話機側回線変換手段を備え、交換機側回線変換装置は、アナログ専用線上で、電話機側回線変換装置とディジタル信号形式の呼制御情報および音声情報をモデム信号で遣り取りする電話機側回線変換手段を備えたことを特徴とする。
【００１６】
この発明に係る構内交換システムは、電話機を接続する電話機側回線変換装置と、内線トランクと接続する交換機側回線変換装置と、電話機側回線変換装置と交換機側回線変換装置とを接続するアナログ専用線を含み、電話機側回線変換装置は、アナログ専用線上で、交換機側回線変換装置とディジタル信号形式の呼制御情報および音声情報をモデム信号で遣り取りする電話機側信号変換手段を備え、交換機側回線変換装置は、アナログ専用線上で、電話機側回線変換装置とディジタル信号形式の呼制御情報および音声情報をモデム信号で遣り取りする電話機側信号変換手段を備え、アナログ専用線を介してモデム信号で呼制御情報および音声情報が遣り取りされるように信号変換することができ、単一のアナログ回線を用いて、構内交換機が収容可能なアナログ電話機、ディジタル電話機およよびＩＳＤＮ電話機等の各種電話機を遠隔地に設置することができる。
【００１７】
また、この発明に係る構内交換システムは、アナログ専用線に接続されるアナログ電話機と、ディジタル専用線に接続されるディジタル電話機と、ＩＳＤＮ専用線に接続されるＩＳＤＮ電話機と、アナログ専用線を収容するアナログ内線トランク、ディジタル専用線を収容するディジタル内線トランクおよびＩＳＤＮ専用線を収容するＩＳＤＮ内線トランクを有する構内交換機とからなる構内交換システムにおいて、アナログ電話機、ディジタル電話機およびＩＳＤＮ電話機を接続する電話機側回線変換装置と、アナログ内線トランク、ディジタル内線トランクおよびＩＳＤＮ内線トランクを接続する交換機側回線変換装置と、電話機側回線変換装置と交換機側回線変換装置を接続する単一のアナログ専用線とからなる回線集約・変換手段を備え、アナログ専用線、ディジタル専用線およびＩＳＤＮ専用線を単一のアナログ専用線に集約して回線変換することを特徴とする。
【００１８】
この発明に係る構内交換システムは、アナログ電話機、ディジタル電話機およびＩＳＤＮ電話機を接続する電話機側回線変換装置と、アナログ内線トランク、ディジタル内線トランクおよびＩＳＤＮ内線トランクを接続する交換機側回線変換装置と、電話機側回線変換装置と交換機側回線変換装置を接続する単一のアナログ専用線とからなる回線集約・変換手段を備え、アナログ専用線、ディジタル専用線およびＩＳＤＮ専用線を単一のアナログ専用線に集約して回線変換するので、アナログ信号、ディジタル信号およびＩＳＤＮ信号を統一信号に変換し、統一信号を単一のアナログ専用線を介して伝送した後、アナログ信号、ディジタル信号およびＩＳＤＮ信号に逆変換するので、電話機の種類ごとに異なる複数の通信メディアを共通の通信メディアとし、複数の専用線を単一のアナログ専用線で賄うことことができる。
【００１９】
さらに、この発明に係る端末側回線変換装置は、アナログ電話機からのアナログ信号、ディジタル電話機からのディジタル信号およびＩＳＤＮ電話機からのＩＳＤＮ信号をＩＰ信号に変換してＩＰパケットとし、ＩＰパケットに変調を施したモデム信号を単一のアナログ専用線を介して交換機側回線変換装置に伝送するとともに、交換機側回線変換装置から単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれアナログ電話機、ディジタル電話機およびＩＳＤＮ電話機に伝送することを特徴とする。
【００２０】
この発明に係る端末側回線変換装置は、アナログ電話機からのアナログ信号、ディジタル電話機からのディジタル信号およびＩＳＤＮ電話機からのＩＳＤＮ信号をＩＰ信号に変換してＩＰパケットとし、ＩＰパケットに変調を施したモデム信号を単一のアナログ専用線を介して交換機側回線変換装置に伝送するとともに、交換機側回線変換装置から単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれアナログ電話機、ディジタル電話機およびＩＳＤＮ電話機に伝送するので、電話機側の信号処理を実行し、単一のアナログ専用線にアナログ信号、ディジタル信号およびＩＳＤＮ信号を統一したモデム信号を乗せることができる。
【００２１】
また、この発明に係る交換機側回線変換装置は、アナログ内線トランクからのアナログ信号、ディジタル内線トランクからのディジタル信号およびＩＳＤＮ内線トランクからのＩＳＤＮ信号をＩＰ信号に変換してＩＰパケットとし、ＩＰパケットに変調を施したモデム信号を単一のアナログ専用線を介して端末側回線変換装置に伝送するとともに、端末側回線変換装置から単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれアナログ内線トランク、ディジタル内線トランクおよびＩＳＤＮ内線トランクに伝送することを特徴とする。
【００２２】
この発明に係る交換機側回線変換装置は、アナログ内線トランクからのアナログ信号、ディジタル内線トランクからのディジタル信号およびＩＳＤＮ内線トランクからのＩＳＤＮ信号をＩＰ信号に変換してＩＰパケットとし、ＩＰパケットに変調を施したモデム信号を単一のアナログ専用線を介して端末側回線変換装置に伝送するとともに、端末側回線変換装置から単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれアナログ内線トランク、ディジタル内線トランクおよびＩＳＤＮ内線トランクに伝送するので、構内交換機側の信号処理を実行し、単一のアナログ専用線にアナログ信号、ディジタル信号およびＩＳＤＮ信号を統一したモデム信号を乗せることができる。
【００２３】
さらに、この発明に係る電話機側回線変換装置および交換機側回線変換装置は、アナログ信号、ディジタル信号およびＩＮＳ信号をＩＰ信号に変換してＩＰパケットにするとともに、ＩＰパケットをＩＰ信号に変換し、アナログ信号、ディジタル信号およびＩＮＳ信号に逆変換するＩＰ変換装置と、ＩＰ変換装置が変換したＩＰ信号をモデム信号に変調して単一のアナログ専用線に伝送するとともに、単一のアナログ専用線から伝送されてくるモデム信号をＩＰ信号に復調するモデム装置とを備えたことを特徴とする。
【００２４】
この発明に係る電話機側回線変換装置および交換機側回線変換装置は、アナログ信号、ディジタル信号およびＩＮＳ信号をＩＰ信号に変換してＩＰパケットにするとともに、ＩＰパケットをＩＰ信号に変換し、アナログ信号、ディジタル信号およびＩＮＳ信号に逆変換するＩＰ変換装置と、ＩＰ変換装置が変換したＩＰ信号をモデム信号に変調して単一のアナログ専用線に伝送するとともに、単一のアナログ専用線から伝送されてくるモデム信号をＩＰ信号に復調するモデム装置とを備えたので、種類の異なる電話機および構内交換機から送出する複数の異なる信号を一つの統一信号に変換して単一のアナログ専用線で伝送することができる。
【００２５】
また、この発明に係る構内交換システムの回線変換方法は、電話機からの呼制御情報および音声情報を所定信号（モデム信号）に変換し、アナログ専用線を介して所定信号（モデム信号）を伝送するとともに、アナログ専用線からの所定信号（モデム信号）を逆変換して構内交換機に提供する回線変換方法であって、電話機から呼制御情報および音声情報を受信するステップＳ１と、呼制御情報および音声情報をＩＰ信号に変換するステップＳ２と、ＩＰ信号に変調を施し、変調信号を出力するステップＳ３と、アナログ専用線を介して変調信号を伝送するステップＳ４と、変調信号をＩＰ信号に復調するステップＳ５と、ＩＰ信号を呼制御情報および音声情報に逆変換するステップＳ６と、呼制御情報および音声情報を構内交換機に伝送するステップＳ７とを備えたことを特徴とする。
【００２６】
この発明に係る構内交換システムの回線変換方法は、電話機から呼制御情報および音声情報を受信するステップＳ１と、呼制御情報および音声情報をＩＰ信号に変換するステップＳ２と、ＩＰ信号に変調を施し、変調信号を出力するステップＳ３と、アナログ専用線を介して変調信号を伝送するステップＳ４と、変調信号をＩＰ信号に復調するステップＳ５と、ＩＰ信号を呼制御情報および音声情報に逆変換するステップＳ６と、呼制御情報および音声情報を構内交換機に伝送するステップＳ７とを備えたので、アナログ回線を用いて構内交換機が収容可能なアナログ電話機、ディジタル電話機およびＩＳＤＮ電話機等の各種電話機および構内交換機を何ら変更することなく、遠隔地に設置された電話機と構内交換機間の信号伝送を実現することができる。
【００２７】
さらに、この発明に係る構内交換システムの回線集約・変換方法は、アナログ電話機からのアナログ信号（ＳＡ）、ディジタル電話機からのディジタル信号（ＳＤ）およびＩＳＤＮ電話機からのＩＳＤＮ信号（ＳＩ）を統一信号に変換し、アナログ専用線を介して統一信号を伝送し、統一信号をアナログ信号、ディジタル信号およびＩＳＤＮ信号に逆変換して構内交換機に提供する回線集約・変換方法であって、電話機からアナログ信号（ＳＡ）、ディジタル信号（ＳＤ）およびＩＳＤＮ信号（ＳＩ）を受信するステップＰ１１と、アナログ信号（ＳＡ）、ディジタル信号（ＳＤ）およびＩＳＤＮ信号（ＳＩ）をＩＰ信号（ＳＰ）に変換するステップＰ１２と、ＩＰ信号（ＳＰ）に変調を施し、変調信号（ＳＭ）を出力するステップＰ１３と、単一のアナログ専用線を介して変調信号（ＳＭ）を伝送するステップＰ１４と、変調信号（ＳＭ）を受信し、ＩＰ信号（ＳＰ）に復調するステップＰ１５と、ＩＰ信号（ＳＰ）をアナログ信号（ＳＡ）、ディジタル信号（ＳＤ）およびＩＳＤＮ信号（ＳＩ）に逆変換するステップＰ１６と、アナログ信号（ＳＡ）、ディジタル信号（ＳＤ）およびＩＳＤＮ信号（ＳＩ）を構内交換機に伝送するステップＰ１７とを備えたことを特徴とする。
【００２８】
この発明に係る構内交換システムの回線集約・変換方法は、電話機からアナログ信号（ＳＡ）、ディジタル信号（ＳＤ）およびＩＳＤＮ信号（ＳＩ）を受信するステップＰ１１と、アナログ信号（ＳＡ）、ディジタル信号（ＳＤ）およびＩＳＤＮ信号（ＳＩ）をＩＰ信号（ＳＰ）に変換するステップＰ１２と、ＩＰ信号（ＳＰ）に変調を施し、変調信号（ＳＭ）を出力するステップＰ１３と、単一のアナログ専用線を介して変調信号（ＳＭ）を伝送するステップＰ１４と、変調信号（ＳＭ）を受信し、ＩＰ信号（ＳＰ）に復調するステップＰ１５と、ＩＰ信号（ＳＰ）をアナログ信号（ＳＡ）、ディジタル信号（ＳＤ）およびＩＳＤＮ信号（ＳＩ）に逆変換するステップＰ１６と、アナログ信号（ＳＡ）、ディジタル信号（ＳＤ）およびＩＳＤＮ信号（ＳＩ）を構内交換機に伝送するステップＰ１７とを備えたので、電話機の種類ごとに異なる複数の専用線を単一のアナログ回線で賄い、電話機ならびに構内交換機を何ら変更することなく、電話機および構内交換機相互間の信号伝送を実現することができる。
【発明の効果】
【００２９】
この発明に係る構内交換システムは、電話機を接続する電話機側回線変換装置と、内線トランクと接続する交換機側回線変換装置と、電話機側回線変換装置と交換機側回線変換装置とを接続するアナログ専用線を含み、電話機側回線変換装置は、アナログ専用線上で、交換機側回線変換装置とディジタル信号形式の呼制御情報および音声情報をモデム信号で遣り取りする電話機側信号変換手段を備え、交換機側回線変換装置は、アナログ専用線上で、電話機側回線変換装置とディジタル信号形式の呼制御情報および音声情報をモデム信号で遣り取りする電話機側信号変換手段を備え、アナログ専用線を介してモデム信号で呼制御情報および音声情報が遣り取りされるように信号変換し、単一のアナログ回線を用いて、構内交換機が収容可能なアナログ電話機、ディジタル電話機およびＩＳＤＮ電話機等の各種電話機を遠隔地に設置することができ、アナログ専用線（特に、既設のアナログ専用線）の有効利用を図り、専用線ならびに通信費のコストダウンを実現することができる。
【００３０】
また、この発明に係る構内交換システムは、アナログ電話機、ディジタル電話機およびＩＳＤＮ電話機を接続する電話機側回線変換装置と、アナログ内線トランク、ディジタル内線トランクおよびＩＳＤＮ内線トランクを接続する交換機側回線変換装置と、電話機側回線変換装置と交換機側回線変換装置を接続する単一のアナログ専用線とからなる回線集約・変換手段を備え、アナログ専用線、ディジタル専用線およびＩＳＤＮ専用線を単一のアナログ専用線に集約して回線変換するので、アナログ信号、ディジタル信号およびＩＳＤＮ信号を統一信号に変換し、統一信号を単一のアナログ専用線を介して伝送した後、アナログ信号、ディジタル信号およびＩＳＤＮ信号に逆変換するので、電話機の種類ごとに異なる複数の通信メディアを共通の通信メディアとし、複数の専用線を単一のアナログ専用線で賄うことことができ、アナログ専用線の有効利用を図り、専用線ならびに通信費のコストダウンを実現することができる。
【００３１】
さらに、この発明に係る端末側回線変換装置は、アナログ電話機からのアナログ信号、ディジタル電話機からのディジタル信号およびＩＳＤＮ電話機からのＩＳＤＮ信号をＩＰ信号に変換してＩＰパケットとし、ＩＰパケットに変調を施したモデム信号を単一のアナログ専用線を介して交換機側回線変換装置に伝送するとともに、交換機側回線変換装置から単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれアナログ電話機、ディジタル電話機およびＩＳＤＮ電話機に伝送するので、電話機側の信号処理を実行し、単一のアナログ専用線にアナログ信号、ディジタル信号およびＩＳＤＮ信号を統一したモデム信号を乗せることができ、アナログ専用線の有効利用を図り、設備費の経済化ならびに利便性の向上を図ることができる。
【００３２】
また、この発明に係る交換機側回線変換装置は、アナログ内線トランクからのアナログ信号、ディジタル内線トランクからのディジタル信号およびＩＳＤＮ内線トランクからのＩＳＤＮ信号をＩＰ信号に変換してＩＰパケットとし、ＩＰパケットに変調を施したモデム信号を単一のアナログ専用線を介して端末側回線変換装置に伝送するとともに、端末側回線変換装置から単一のアナログ専用線を介して伝送されてくるモデム信号に復調を施したＩＰパケットをＩＰ信号に変換し、ＩＰ信号をアナログ信号、ディジタル信号およびＩＳＤＮ信号に逆変換して、それぞれアナログ内線トランク、ディジタル内線トランクおよびＩＳＤＮ内線トランクに伝送するので、構内交換機側の信号処理を実行し、単一のアナログ専用線にアナログ信号、ディジタル信号およびＩＳＤＮ信号を統一したモデム信号を乗せることができ、アナログ専用線の有効利用を図り、設備費の経済化ならびに利便性の向上を図ることができる。
【００３３】
さらに、この発明に係る電話機側回線変換装置および交換機側回線変換装置は、アナログ信号、ディジタル信号およびＩＮＳ信号をＩＰ信号に変換してＩＰパケットにするとともに、ＩＰパケットをＩＰ信号に変換し、アナログ信号、ディジタル信号およびＩＮＳ信号に逆変換するＩＰ変換装置と、ＩＰ変換装置が変換したＩＰ信号をモデム信号に変調して単一のアナログ専用線に伝送するとともに、単一のアナログ専用線から伝送されてくるモデム信号をＩＰ信号に復調するモデム装置とを備えたので、種類の異なる電話機および構内交換機から送出する複数の異なる信号を一つの統一信号に変換して単一のアナログ専用線で伝送することができ、専用線に費やす費用ならびに通信費を低減し、経済性の向上を図ることができる。
【００３４】
また、この発明に係る構内交換システムの回線変換方法は、電話機から呼制御情報および音声情報を受信するステップＳ１と、呼制御情報および音声情報をＩＰ信号に変換するステップＳ２と、ＩＰ信号に変調を施し、変調信号を出力するステップＳ３と、アナログ専用線を介して変調信号を伝送するステップＳ４と、変調信号をＩＰ信号に復調するステップＳ５と、ＩＰ信号を呼制御情報および音声情報に逆変換するステップＳ６と、呼制御情報および音声情報を構内交換機に伝送するステップＳ７とを備えたので、アナログ回線を用いて構内交換機が収容可能なアナログ電話機、ディジタル電話機およびＩＳＤＮ電話機等の各種電話機および構内交換機を何ら変更することなく、遠隔地に設置された電話機と構内交換機間の信号伝送を実現することができ、アナログ専用線（特に、既設のアナログ専用線）の有効利用を図り、専用線ならびに通信費のコストダウンを実現することができる。
【００３５】
さらに、この発明に係る構内交換システムの回線集約・変換方法は、電話機からアナログ信号（ＳＡ）、ディジタル信号（ＳＤ）およびＩＳＤＮ信号（ＳＩ）を受信するステップＰ１と、アナログ信号（ＳＡ）、ディジタル信号（ＳＤ）およびＩＳＤＮ信号（ＳＩ）をＩＰ信号（ＳＰ）に変換するステップＰ２と、ＩＰ信号（ＳＰ）に変調を施し、変調信号（ＳＭ）を出力するステップＰ３と、単一のアナログ専用線を介して変調信号（ＳＭ）を伝送するステップＰ４と、変調信号（ＳＭ）を受信し、ＩＰ信号（ＳＰ）に復調するステップＰ５と、ＩＰ信号（ＳＰ）をアナログ信号（ＳＡ）、ディジタル信号（ＳＤ）およびＩＳＤＮ信号（ＳＩ）に逆変換するステップＰ６と、アナログ信号（ＳＡ）、ディジタル信号（ＳＤ）およびＩＳＤＮ信号（ＳＩ）を構内交換機に伝送するステップＰ７とを備えたので、電話機の種類ごとに異なる複数の専用線を単一のアナログ回線で賄い、電話機ならびに構内交換機を何ら変更することなく、電話機および構内交換機相互間の信号伝送を実現することができ、アナログ専用線の有効利用を図り、専用線ならびに通信費のコストダウンを実現することができる。
【発明を実施するための最良の形態】
【００３６】
以下、この発明の実施の形態を添付図面に基づいて説明する。なお、本発明はアナログ専用線を用いて構内交換機が収容可能なアナログ電話機、ディジタル電話機およびＩＳＤＮ電話機等の各種電話機を遠隔地に設置することが可能なものである。
【００３７】
また、本発明は、アナログ専用線、ディジタル専用線およびＩＳＤＮ専用線を単一のアナログ専用線に集約し、アナログ信号、ディジタル信号およびＩＳＤＮ信号をＩＰデータ化してモデム信号に統一し、モデム信号を単一のアナログ専用線を介して伝送することにより、電話機および構内交換機をなんら変更することなく、複数種の専用線を単一のアナログ専用線で賄い、通信メディアの異なる複数の電話機と構内交換機との間の通信を可能にするものである。
【００３８】
図１はこの発明に係る構内交換システムの一実施の形態基本ブロック構成図である。図１において、構内交換システム１は、回線Ｌを介して電話機ＴＥＬと接続する電話機側回線変換装置２と、回線Ｌを介して構内交換機４の内線トランク８と接続する交換機側回線変換装置３と、電話機側回線変換装置２と交換機側回線変換装置３を接続するアナログ専用線５とから構成する。なお、電話機ＴＥＬは、アナログ電話機、ディジタル電話機、ＩＳＤＮ電話機等の電話機で構成し、場合によってはＩＰ電話機でもよい。
【００３９】
電話機側回線変換装置２は、電話機ＴＥＬから送信されてくるアナログの呼制御信号および音声信号（アナログ電話機）、ディジタルの呼制御データおよび音声データ（ディジタル電話機）、ＩＳＤＮの呼制御データ（Ｄチャネル）および音声データ（Ｂチャネル）（ＩＳＤＮ電話機）をディジタル信号形式の呼制御情報および音声情報に変換し、変換した呼制御情報および音声情報に変調を施してモデム信号ＳＭに変換し、アナログ専用線５を介して交換機側回線変換装置３に伝送する電話機側信号変換手段６を備える。
【００４０】
また、電話機側信号変換手段６は、交換機側回線変換装置３からアナログ専用線５を介して伝送されてくるモデム信号ＳＭを受信し、モデム信号ＳＭに復調を施してディジタル信号形式の呼制御情報および音声情報に戻し、呼制御情報および音声情報を逆変換してアナログの呼制御信号および音声信号、ディジタルの呼制御データおよび音声データ、ＩＳＤＮの呼制御データ（Ｄチャネル）および音声データ（Ｂチャネル）に戻し、回線Ｌを介してそれぞれ該当する電話機ＴＥＬ（アナログ電話機、ディジタル電話機、ＩＳＤＮ電話機）に送信する。
【００４１】
交換機側回線変換装置３は、電話機側回線変換装置２からアナログ専用線５を介して伝送されてくるモデム信号ＳＭを受信し、モデム信号ＳＭに復調を施してディジタル信号形式の呼制御情報および音声情報に戻し、呼制御情報および音声情報を逆変換してアナログの呼制御信号および音声信号、ディジタルの呼制御データおよび音声データ、ＩＳＤＮの呼制御データ（Ｄチャネル）および音声データ（Ｂチャネル）に戻し、回線Ｌを介して構内交換機４のそれぞれ該当する内線トランク８に送信する交換機側信号変換手段７を備える。
【００４２】
また、交換機側信号変換手段７は、構内交換機４の内線トランク８から送信されてくるアナログの呼制御信号および音声信号（アナログ内線トランク）、ディジタルの呼制御データおよび音声データ（ディジタル内線トランク）、ＩＳＤＮの呼制御データ（Ｄチャネル）および音声データ（Ｂチャネル）（ＩＳＤＮ内線トランク）をディジタル信号形式の呼制御情報および音声情報に変換し、変換した呼制御情報および音声情報に変調を施してモデム信号ＳＭに変換し、アナログ専用線５を介して電話機側回線変換装置２に伝送する。
【００４３】
アナログ専用線５は、電話機側回線変換装置２と交換機側回線変換装置３を接続し、電話機ＴＥＬの種類（アナログ電話機、ディジタル電話機、ＩＳＤＮ電話機）または内線トランク８（アナログ内線トランク、ディジタル内線トランク、ＩＳＤＮ内線トランク）の種類に拘わらず、共通のモデム信号ＳＭを伝送する。
【００４４】
これにより、電話機ＴＥＬの種類に拘わらず、電話機側回線変換装置２と交換機側回線変換装置３間を一種類のアナログ専用線５で接続することができる。
【００４５】
また、アナログ専用線５上にモデム信号ＳＭを伝送させることにより、電話機ＴＥＬを構内交換機４から遠隔地に設置しても、信号の減衰（特に、アナログ信号の場合）を極力少なくすることができる。
【００４６】
さらに、アナログ電話機、ディジタル電話機およびＩＳＤＮ電話機等の各種電話機ＴＥＬおよび構内交換機４を何ら変更することなく、遠隔地に設置された電話機と構内交換機間の信号伝送を実現することができる。
【００４７】
このように、この発明に係る構内交換システム１は、電話機ＴＥＬを接続する電話機側回線変換装置２と、内線トランク８と接続する交換機側回線変換装置３と、電話機側回線変換装置２と交換機側回線変換装置３とを接続するアナログ専用線５を含み、電話機側回線変換装置２は、アナログ専用線５上で、交換機側回線変換装置３とディジタル信号形式の呼制御情報および音声情報をモデム信号ＳＭで遣り取りする電話機側信号変換手段６を備え、交換機側回線変換装置３は、アナログ専用線５上で、電話機側回線変換装置２とディジタル信号形式の呼制御情報および音声情報をモデム信号で遣り取りする電話機側信号変換手段７を備え、アナログ専用線５を介してモデム信号ＳＭで呼制御情報および音声情報が遣り取りされるように信号変換し、単一のアナログ回線５を用いて、構内交換機４が収容可能なアナログ電話機、ディジタル電話機およびＩＳＤＮ電話機等の各種電話機ＴＥＬを遠隔地に設置することができ、アナログ専用線（特に、既設のアナログ専用線）の有効利用を図り、専用線ならびに通信費のコストダウンを実現することができる。
【００４８】
図２はこの発明に係る構内交換システムの別実施の形態ブロック構成図である。図２において、構内交換システム１１は、回線集約・変換手段１２と、構内交換機１３と、アナログ電話機Ａ−ＴＥＬ、ディジタル電話機Ｄ−ＴＥＬおよびＩＳＤＮ電話機Ｉ−ＴＥＬとから構成する。
【００４９】
回線集約・変換手段１２は、電話機側回線変換装置１４、交換機側回線変換装置１５、電話機側回線変換装置１４と交換機側回線変換装置１５との間を接続する単一のアナログ専用線１６を備える。
【００５０】
電話機側回線変換装置１４は、ポイントＸ１にアナログ回線ＬＡを介してアナログ電話機Ａ−ＴＥＬを接続し、ポイントＹ１にディジタル回線ＬＤを介してディジタル電話機Ｄ−ＴＥＬを接続し、ポイントＺ１にＩＳＤＮ回線ＬＩを介してＩＳＤＮ電話機Ｉ−ＴＥＬを接続する。なお、電話機側回線変換装置１４、アナログ電話機Ａ−ＴＥＬ、ディジタル電話機Ｄ−ＴＥＬおよびＩＳＤＮ電話機Ｉ−ＴＥＬは、例えば企業の事務所内（例えば、支店）に設置する。
【００５１】
交換機側回線変換装置１５は、ポイントＸ２にアナログ回線ＬＡ、ポイントＹ２にディジタル回線ＬＤ、ポイントＺ２にＩＳＤＮ回線ＬＩを、それぞれ介して構内交換機１３と接続する。なお、交換機側回線変換装置１５および構内交換機１３は、例えば同一企業の本社に設置する。
【００５２】
電話機側回線変換装置１４を設置する支店と交換機側回線変換装置１５および構内交換機１３を設置する本社との間は、距離的に離れており、電話機側回線変換装置１４と交換機側回線変換装置１５との間を単一のアナログ専用線１６で接続する。
【００５３】
電話機側回線変換装置１４は、アナログ電話機Ａ−ＴＥＬからアナログ回線ＬＡを介して供給されるアナログ信号ＳＡ、ディジタル電話機Ｄ−ＴＥＬからディジタル回線ＬＤを介して供給されるディジタル信号ＳＤおよびＩＳＤＮ電話機Ｉ−ＴＥＬからＩＳＤＮ回線ＬＩを介して供給されるＩＳＤＮ信号ＳＩをＩＰ信号に変換した後、ＩＰ信号をＩＰパケットにし、ＩＰパケットに変調を施したモデム信号ＳＭを単一のアナログ専用線１６を介して交換機側回線変換装置１５に伝送する。
【００５４】
また、電話機側回線変換装置１４は、交換機側回線変換装置１５から単一のアナログ専用線１６を介して伝送されてくるモデム信号ＳＭに復調を施したＩＰパケットをＩＰ信号に変換し、ＩＰ信号をアナログ信号ＳＡ、ディジタル信号ＳＤおよびＩＳＤＮ信号ＳＩに逆変換して、それぞれアナログ回線ＬＡ、ディジタル回線ＬＤおよびＩＳＤＮ回線ＬＩを介してアナログ電話機Ａ−ＴＥＬ、ディジタル電話機Ｄ−ＴＥＬおよびＩＳＤＮ電話機Ｉ−ＴＥＬに伝送する。
【００５５】
これにより、電話機側回線変換装置１４は、アナログ信号ＳＡ、ディジタル信号ＳＤおよびＩＳＤＮ信号ＳＩのメディアの異なる信号をＩＰ信号に統一し、ＩＰ信号をＩＰパケット化してモデム信号ＳＭで出力することにより、それぞれ異なるアナログ信号ＳＡ、ディジタル信号ＳＤおよびＩＳＤＮ信号ＳＩを統一して単一のアナログ専用線１６を介して伝送することができる。
【００５６】
このように、この発明に係る電話機側回線変換装置１４は、アナログ電話機Ａ−ＴＥＬからのアナログ信号ＳＡ、ディジタル電話機Ｄ−ＴＥＬからのディジタル信号ＳＤおよびＩＳＤＮ電話機Ｉ−ＴＥＬからのＩＳＤＮ信号ＳＩをＩＰ信号に変換してＩＰパケットとし、ＩＰパケットに変調を施したモデム信号ＳＭを単一のアナログ専用線１６を介して交換機側回線変換装置１５に伝送するとともに、交換機側回線変換装置１５から単一のアナログ専用線１６を介して伝送されてくるモデム信号ＳＭに復調を施したＩＰパケットをＩＰ信号に変換し、ＩＰ信号をアナログ信号ＳＡ、ディジタル信号ＳＤおよびＩＳＤＮ信号ＳＩに逆変換して、それぞれアナログ電話機Ａ−ＴＥＬ、ディジタル電話機Ｄ−ＴＥＬおよびＩＳＤＮ電話機Ｉ−ＴＥＬに伝送するので、電話機側の信号処理を実行し、単一のアナログ専用線１６にアナログ信号ＳＡ、ディジタル信号ＳＤおよびＩＳＤＮ信号ＳＩを統一したモデム信号ＳＭを乗せることができ、アナログ専用線１６の有効利用を図り、設備費の経済化ならびに利便性の向上を図ることができる。
【００５７】
交換機側回線変換装置１５は、後述するアナログ内線トランクＴＲＡからアナログ回線ＬＡを介して供給されるアナログ信号ＳＡ、ディジタル内線トランクＴＲＤからディジタル回線ＬＤを介して供給されるディジタル信号ＳＤおよびＩＳＤＮ内線トランクＴＲＩからＩＳＤＮ回線ＬＩを介して供給されるＩＳＤＮ信号ＳＩをＩＰ信号に変換した後、ＩＰ信号をＩＰパケットにし、ＩＰパケットに変調を施したモデム信号ＳＭを単一のアナログ専用線１６を介して電話機側回線変換装置１４に伝送する。
【００５８】
また、交換機側回線変換装置１５は、単一のアナログ専用線１６を介して伝送されてくるモデム信号ＳＭに復調を施したＩＰパケットをＩＰ信号に変換し、ＩＰ信号をアナログ信号ＳＡ、ディジタル信号ＳＤおよびＩＳＤＮ信号ＳＩに逆変換して、それぞれアナログ回線ＬＡ、ディジタル回線ＬＤおよびＩＳＤＮ回線ＬＩを介してアナログ内線トランクＴＲＡ、ディジタル内線トランクＴＲＤおよびＩＳＤＮ内線トランクＴＲＩに伝送する。
【００５９】
これにより、電話機側回線変換装置５は、アナログ信号ＳＡ、ディジタル信号ＳＤおよびＩＳＤＮ信号ＳＩのメディアの異なる信号をＩＰ信号に統一し、ＩＰ信号をＩＰパケット化してモデム信号ＳＭで出力することにより、それぞれ異なるアナログ信号ＳＡ、ディジタル信号ＳＤおよびＩＳＤＮ信号ＳＩを統一して単一のアナログ専用線１６を介して伝送することができる。
【００６０】
このように、この発明に係る交換機側回線変換装置１５は、アナログ内線トランクＴＲＡからのアナログ信号ＳＡ、ディジタル内線トランクＴＲＤからのディジタル信号ＳＤおよびＩＳＤＮ内線トランクＴＲＩからのＩＳＤＮ信号ＳＩをＩＰ信号に変換してＩＰパケットとし、ＩＰパケットに変調を施したモデム信号を単一のアナログ専用線１６を介して電話機側回線変換装置１４に伝送するとともに、電話機側回線変換装置１４から単一のアナログ専用線１６を介して伝送されてくるモデム信号ＳＭに復調を施したＩＰパケットをＩＰ信号に変換し、ＩＰ信号をアナログ信号ＳＡ、ディジタル信号ＳＤおよびＩＳＤＮ信号ＳＩに逆変換して、それぞれアナログ内線トランクＴＲＡ、ディジタル内線トランクＴＲＤおよびＩＳＤＮ内線トランクＴＲＩに伝送するので、構内交換機側の信号処理を実行し、単一のアナログ専用線１６にアナログ信号ＳＡ、ディジタル信号ＳＤおよびＩＳＤＮ信号ＳＩを統一したモデム信号ＳＭを乗せることができ、アナログ専用線の有効利用を図り、設備費の経済化ならびに利便性の向上を図ることができる。
【００６１】
図３はこの発明に係る電話機側回線変換装置の一実施の形態要部ブロック構成図である。図３において、電話機側回線変換装置１４は、アナログインタフェース１７ａ１、ディジタルインタフェース１７ａ２、ＩＳＤＮインタフェース１７ａ３、ＩＰ変換装置１８ａ、暗号／復号装置１９ａ、モデム装置２０ａを備える。また、ＩＰ変換装置１８ａは、アナログ電話機Ａ−ＴＥＬに対応した圧縮／伸長部２３ａ、制御信号処理部２４ａ、ＩＰ処理部２９ａ、ディジタル電話機Ｄ−ＴＥＬに対応した圧縮／伸長部２５ａ、制御信号処理部２６ａ、ＩＰ処理部３０ａ、ＩＳＤＮ電話機Ｉ−ＴＥＬに対応した圧縮／伸長部２７ａ、制御信号処理部２８ａ、ＩＰ処理部３１ａ、およびＩＰパケット多重／分離部３２ａを備える。
【００６２】
アナログインタフェース１７ａ１は、Ａ−Ｄ変換部２１ａ、制御信号検出部２２ａを備え、アナログ電話機Ａ−ＴＥＬからのアナログ信号ＳＡをＡ／Ｄ変換し、変換したディジタル信号を圧縮／伸長部２３ａに供給するとともに、アナログ電話機Ａ−ＴＥＬからのオフフック（回線閉結）、オンフック（回線開放）、ダイヤル番号などの制御情報を検出し、検出した制御情報を制御信号処理部２４ａに供給する。
【００６３】
また、アナログインタフェース１７ａ１は、圧縮／伸長部２３ａから供給されるディジタル信号をＤ／Ａ変換し、変換したアナログ信号ＳＡをアナログ電話機Ａ−ＴＥＬに供給するとともに、制御信号処理部２４ａから供給される制御情報に基づいて着信（ＩＲ）信号、呼出信号（ＲＢＴ）、話中信号（ビジートーン）などの制御情報をアナログ電話機Ａ−ＴＥＬに供給する。
【００６４】
ディジタルインタフェース１７ａ２は、ディジタル電話機Ｄ−ＴＥＬからのディジタル信号ＳＤの音声データを圧縮／伸長部２５ａに供給するとともに、ディジタル信号ＳＤの制御データを制御信号処理部２６ａに供給する。
【００６５】
また、ディジタルインタフェース１７ａ２は、圧縮／伸長部２５ａから供給される音声データと制御信号処理部２６ａから供給される制御データのディジタル信号ＳＤをディジタル電話機Ｄ−ＴＥＬに供給する。
【００６６】
ＩＳＤＮインタフェース１７ａ３は、ＩＳＤＮ電話機Ｉ−ＴＥＬから供給されるＩＳＤＮ信号ＳＩの音声データ（Ｂチャネル）を圧縮／伸長部２７ａに供給するとともに、ＩＳＤＮ信号ＳＩの制御データ（Ｄチャネル）を制御信号処理部２８ａに供給する。
【００６７】
また、ＩＳＤＮインタフェース１７ａ３は、圧縮／伸長部２７ａから供給される音声データ（Ｂチャネル）と制御信号処理部２８ａから供給される制御データ（Ｄチャネル）のＩＳＤＮ信号ＳＩをＩＳＤＮ電話機Ｉ−ＴＥＬに供給する。
【００６８】
圧縮／伸長部２３ａ、圧縮／伸長部２５ａおよび圧縮／伸長部２７ａは、それぞれデータ圧縮機能を備え、Ａ−Ｄ変換部２１ａから供給されるディジタル信号、ディジタルインタフェース１７ａ２から供給される音声データおよびＩＳＤＮインタフェース１７ａ３から供給される音声データ（Ｂチャネル）を圧縮し、圧縮したディジタル信号、圧縮した音声データおよび圧縮した音声データ（Ｂチャネル）を、それぞれＩＰ処理部２９ａ、ＩＰ処理部３０ａおよびＩＰ処理部３１ａに供給する。
【００６９】
また、圧縮／伸長部２３ａ、圧縮／伸長部２５ａおよび圧縮／伸長部２７ａは、それぞれデータ伸長機能を備え、ＩＰ処理部２９ａ、ＩＰ処理部３０ａおよびＩＰ処理部３１ａから供給されるディジタル信号、音声データおよび音声データ（Ｂチャネル）を伸長し、伸長したディジタル信号、伸長した音声データおよび伸長した音声データ（Ｂチャネル）を、それぞれＡ−Ｄ変換部２１ａ、ディジタルインタフェース１７ａ２およびＩＳＤＮインタフェース１７ａ３に供給する。
【００７０】
制御信号処理部２４ａ、制御信号処理部２６ａおよび制御信号処理部２８ａは、それぞれ制御信号検出部２２ａ、ディジタルインタフェース１７ａ２およびＩＳＤＮインタフェース１７ａ３から供給される制御情報、制御データおよび制御データ（Ｄチャネル）に処理を施し、処理した制御情報、制御データおよび制御データ（Ｄチャネル）を、それぞれＩＰ処理部２９ａ、ＩＰ処理部３０ａおよびＩＰ処理部３１ａに提供する。
【００７１】
また、制御信号処理部２４ａ、制御信号処理部２６ａおよび制御信号処理部２８ａは、それぞれＩＰ処理部２９ａ、ＩＰ処理部３０ａおよびＩＰ処理部３１ａから供給される制御情報、制御データおよび制御データ（Ｄチャネル）に処理を施し、アナログ、ディジタルおよびＩＳＤＮに適した制御情報、制御データおよび制御データ（Ｄチャネル）を、それぞれ制御信号検出部２２ａ、ディジタルインタフェース１７ａ２およびＩＳＤＮインタフェース１７ａ３に供給する。
【００７２】
ＩＰ処理部２９ａ、ＩＰ処理部３０ａおよびＩＰ処理部３１ａは、それぞれ圧縮／伸長部２３ａ、圧縮／伸長部２５ａおよび圧縮／伸長部２７ａから供給される圧縮したディジタル信号、圧縮した音声データおよび圧縮した音声データ（Ｂチャネル）、および制御信号処理部２４ａ、制御信号処理部２６ａおよび制御信号処理部２８ａから供給される制御情報、制御データおよび制御データ（Ｄチャネル）にプロトコル変換を施してＩＰ信号とした後、ＩＰ信号をパケット化し、ＩＰパケットをＩＰパケット多重／分離部３２ａに供給する。
【００７３】
また、ＩＰ処理部２９ａ、ＩＰ処理部３０ａおよびＩＰ処理部３１ａは、ＩＰパケット多重／分離部３２ａから供給されるＩＰパケットをＩＰ信号に戻し、ＩＰ信号にプロトコル逆変換を施して、それぞれ圧縮したディジタル信号と制御情報、圧縮した音声データと制御データおよび圧縮した音声データ（Ｂチャネル）と制御データ（Ｄチャネル）に戻し、圧縮したディジタル信号と制御情報をそれぞれ圧縮／伸長部２３ａと制御信号処理部２４ａに供給し、圧縮した音声データと制御データをそれぞれ圧縮／伸長部２５ａと制御信号処理部２６ａに供給し、圧縮した音声データ（Ｂチャネル）と制御データ（Ｄチャネル）をそれぞれ圧縮／伸長部２７ａと制御信号処理部２８ａに供給する。
【００７４】
ＩＰパケット多重／分離部３２ａは、それぞれＩＰ処理部２９ａ、ＩＰ処理部３０ａおよびＩＰ処理部３１ａから供給されるＩＰパケットを多重化し、多重化したＩＰパケットを暗号／復号装置１９ａに供給する。
【００７５】
また、ＩＰパケット多重／分離部３２ａは、暗号／復号装置１９ａから供給される多重化したＩＰパケットを分離し、分離したＩＰパケットを、それぞれＩＰ処理部２９ａ、ＩＰ処理部３０ａおよびＩＰ処理部３１ａに供給する。
【００７６】
これにより、ＩＰ変換装置１８ａは、アナログ信号ＳＡ、ディジタル信号ＳＤおよびＩＳＤＮ信号ＳＩをＩＰ信号に変換してＩＰパケットにして多重化するとともに、多重化されたＩＰパケットを分離してＩＰ信号にした後、ＩＰ信号をアナログ信号ＳＡ、ディジタル信号ＳＤおよびＩＳＤＮ信号ＳＩに逆変換することができる。
【００７７】
暗号／復号装置１９ａは、ＩＰパケット多重／分離部３２ａから供給されるＩＰパケットに暗号化を施し、暗号化ＩＰパケットをモデム装置２０ａに供給する。
【００７８】
また、暗号／復号装置１９ａは、モデム装置２０ａから供給される暗号化ＩＰパケットに復号化を施し、ＩＰパケットをＩＰパケット多重／分離部３２ａに供給する。
【００７９】
モデム装置２０ａは、暗号／復号装置１９ａから供給される暗号化ＩＰパケットを変調し、モデム信号ＳＭを単一のアナログ専用線１６に伝送する。
【００８０】
また、モデム装置２０ａは、アナログ専用線１６から伝送されてくるモデム信号ＳＭを受信し、モデム信号ＳＭを復調して暗号化ＩＰパケットを暗号／復号装置１９ａに供給する。
【００８１】
モデム装置２０ａは、ＩＰパケットを変調してモデム信号ＳＭとすることにより、アナログ信号ＳＡ、ディジタル信号ＳＤおよびＩＳＤＮ信号ＳＩを統一したＩＰ信号を単一のアナログ専用線１６を介して伝送することができる。
【００８２】
図４はこの発明に係る交換機側回線変換装置の一実施の形態要部ブロック構成図である。図４において、交換機側回線変換装置１５は、Ａ−Ｄ変換部２１ｂおよび制御信号検出部２２ｂを備えたアナログインタフェース１７ｂ１、ディジタルインタフェース１７ｂ２、ＩＳＤＮインタフェース１７ｂ３、ＩＰ変換装置１８ｂ、暗号／復号装置１９ｂ、モデム装置２０ｂを備える。
【００８３】
なお、アナログインタフェース１７ｂ１、ディジタルインタフェース１７ｂ２およびＩＳＤＮインタフェース１７ｂ３がポイントＸ２、ポイントＹ２およびポイントＺ２を介して後述する構内交換機（ＰＢＸ）１３のそれぞれアナログ内線トランクＴＲＡ、ディジタル内線トランクＴＲＤおよびＩＳＤＮ内線トランクＴＲＩに接続されている点が、図２に示す電話機側回線変換装置１４のアナログインタフェース１７ａ１、ディジタルインタフェース１７ａ２およびＩＳＤＮインタフェース１７ａ３がポイントＸ１、ポイントＹ１およびポイントＺ１を介してそれぞれアナログ電話機Ａ−ＴＥＬ、ディジタル電話機Ｄ−ＴＥＬおよびＩＳＤＮ電話機Ｉ−ＴＥＬに接続されている点と異なることを除いて交換機側回線変換装置１５と電話機側回線変換装置１４は同じ構成なので、説明を省略する。
【００８４】
このように、この発明に係る電話機側回線変換装置１４および交換機側回線変換装置１５は、アナログ信号ＳＡ、ディジタル信号ＳＤおよびＩＳＤＮ信号ＳＩをＩＰ信号に変換してＩＰパケットにするとともに、ＩＰパケットをＩＰ信号に変換し、アナログ信号ＳＡ、ディジタル信号ＳＤおよびＩＮＳ信号ＳＩに逆変換するＩＰ変換装置１８ａ，１８ｂと、ＩＰ変換装置１８ａ，１８ｂが変換したＩＰ信号をモデム信号ＳＭに変調して単一のアナログ専用線１６に伝送するとともに、単一のアナログ専用線１６から伝送されてくるモデム信号ＳＭをＩＰ信号に復調するモデム装置２０ａ，２０ｂとを備えたので、種類の異なる電話機（アナログ電話機Ａ−ＴＥＬ、ディジタル電話機Ｄ−ＴＥＬ、ＩＳＤＮ電話機Ｉ−ＴＥＬ）および構内交換機１３から送出する複数の異なる信号（アナログ信号ＳＡ、ディジタル信号ＳＤ、ＩＳＤＮ信号ＳＩ）を一つの統一信号（ＩＰ信号）に変換して単一のアナログ専用線で伝送することができ、専用線に費やす費用ならびに通信費を低減し、経済性の向上を図ることができる。
【００８５】
図５はこの発明に係る構内交換機の一実施の形態要部ブロック構成図である。図５において、構内交換機１３は、アナログ内線トランクＴＲＡ、ディジタル内線トランクＴＲＤ、ＩＳＤＮ内線トランクＴＲＩ、通話路スイッチ３３、制御装置３４、記憶装置３５、局線トランクＣＯＴを備える。
【００８６】
アナログ内線トランクＴＲＡ、ディジタル内線トランクＴＲＤおよびＩＳＤＮ内線トランクＴＲＩは、それぞれアナログ回線ＬＡ、ディジタル回線ＬＤおよびＩＳＤＮ回線ＬＩを介して交換機側回線変換装置１５のアナログインタフェース１７ｂ１、ディジタルインタフェース１７ｂ２およびＩＳＤＮインタフェース１７ｂ３と接続し、それぞれアナログ信号ＳＡ、ディジタル信号ＳＤおよびＩＳＤＮ信号ＳＩで通信を行う。
【００８７】
局線トランクＣＯＴは、公衆網ＮＴと接続し、アナログ信号ＳＯで通信を行う。
【００８８】
通話路スイッチ３３は、制御装置３４の制御により、アナログ内線トランクＴＲＡ、ディジタル内線トランクＴＲＤ、ＩＳＤＮ内線トランクＴＲＩ、局線トランクＣＯＴ相互間の通話路を形成する。
【００８９】
制御装置３４は、マイクロプロセッサを基本に各種処理機能を備え、構内交換機１３全体の呼制御動作、接続交換動作などを制御する。
【００９０】
記憶装置３５は、ＲＯＭやＲＡＭなどのメモリで構成し、各種局データ、交換データ、呼制御データ、シーケンスプログラムデータ、プロトコル変換プログラムデータなどを記憶し、制御装置３４の制御により、データの出力、データの格納を行う。
【００９１】
次に、この発明に係る構内交換システムの呼接続シーケンスについて説明する。アナログ電話機Ａ−ＴＥＬと構内交換機１３との間の呼接続シーケンスを例にして説明する。なお、呼接続シーケンスは、アナログ電話機Ａ−ＴＥＬからの発呼、アナログ電話機Ａ−ＴＥＬから相手先へのダイヤル発信、相手先の応答、アナログ電話機Ａ−ＴＥＬの着信応答、相手先からの通話終了、アナログ電話機Ａ−ＴＥＬからの通話終了について説明する。
【００９２】
図６はこの発明に係るアナログ電話機からの発呼動作シーケンス図である。図６において、アナログ電話機Ａ−ＴＥＬをオフフック操作すると、ループを閉結する（ステップＳ１）。電話機側回線変換装置１４は、ループ閉結を検出し、その情報をＩＰ信号に組み立て、ループ閉結情報を含むＩＰパケットをモデム信号に変換してアナログ専用線１６を介して交換機側回線変換装置１５に送信する（ステップＳ２）。同時に電話機側回線変換装置１４は、音声通信路処理を開始する。
【００９３】
交換機側回線変換装置１５は、電話機側回線変換装置１４からループ閉結情報を含むモデム信号を受信し、ＩＰパケットの内容に応じてアナログ内線トランクＴＲＡと接続されているアナログ回線ＬＡのループを閉結する（ステップＳ３）。同時に交換機側回線変換装置１５は、音声通信路処理を開始する。
【００９４】
アナログ内線トランクＴＲＡは、ループ閉結を検出し、ループ閉結をＰＢＸ本体（制御装置３４）に通知する（ステップＳ４）。ＰＢＸ本体（制御装置３４）は、該当する内線（アナログ回線ＬＡ）を使用中とし、アナログ内線トランクＴＲＡにＤＴ（ダイヤルトーン）の送出を指示する（ステップＳ５）。アナログ内線トランクＴＲＡは、ＤＴ（ダイヤルトーン）を交換機側回線変換装置１５に送出し、選択信号（ダイヤル発信番号に相当）の検出待ちとなる（ステップＳ６）。
【００９５】
交換機側回線変換装置１５は、ＤＴ（ダイヤルトーン）を検出し、その情報をＩＰ信号に組み立て、ＤＴ送出情報を含むＩＰパケットをモデム信号に変換してアナログ専用線１６を介して電話機側回線変換装置１４に送信する（ステップＳ７）。
【００９６】
電話機側回線変換装置１４は、電話機側回線変換装置１５からＤＴ送出情報を含むモデム信号を受信し、ＩＰパケットの内容に応じてＤＴ（ダイヤルトーン）をアナログ電話機Ａ−ＴＥＬに送出する（ステップＳ８）。
【００９７】
アナログ電話機Ａ−ＴＥＬからＤＴ（ダイヤルトーン）音が鳴動し、ダイヤル発信が可能な状態になる。
【００９８】
図７はこの発明に係るアナログ電話機から相手先へのダイヤル発信動作シーケンス図である。図７において、アナログ電話機Ａ−ＴＥＬから相手先の電話番号のダイヤルボタンを押下することにより、選択信号（ＰＢ／ＤＰ）を電話機側回線変換装置１４に送出する（ステップＳ９）。
【００９９】
電話機側回線変換装置１４は、選択信号を検出し、その情報をＩＰ信号に組み立て、選択信号情報を含むＩＰパケットをモデム信号に変換してアナログ専用線１６を介して交換機側回線変換装置１５に送信する（ステップＳ１０）。
【０１００】
交換機側回線変換装置１５は、選択信号情報を含むモデム信号を受信し、ＩＰパケットの内容に応じて選択信号（ＰＢ／ＤＰ）をアナログ内線トランクＴＲＡに送出する（ステップＳ１１）。
【０１０１】
アナログ内線トランクＴＲＡは、選択信号（ＰＢ／ＤＰ）を検出し、発呼信号をＰＢＸ本体（制御装置３４）に通知する（ステップＳ１２）。ＰＢＸ本体（制御装置３４）は、１桁目の選択信号（ＰＢ／ＤＰ）の通知があると、アナログ内線トランクＴＲＡにＤＴ（ダイヤルトーン）の停止指示を出し、アナログ内線トランクＴＲＡは、ＤＴ（ダイヤルトーン）を停止する。ＰＢＸ本体（制御装置３４）は、全桁の選択信号（ＰＢ／ＤＰ）が通知されると、選択信号（ＰＢ／ＤＰ）に応じた被呼者呼出指示をするとともに、アナログ内線トランクＴＲＡに呼出信号（ＩＲ）の送出を指示する（ステップＳ１３）。アナログ内線トランクＴＲＡは、呼出信号（ＩＲ）を交換機側回線変換装置１５に送信する。
【０１０２】
交換機側回線変換装置１５は、呼出信号（ＩＲ）を検出し、その情報をＩＰ信号に組み立て、呼出信号開始情報を含むＩＰパケットをモデム信号に変換してアナログ専用線１６を介して交換機側回線変換装置４に送信する（ステップＳ１４）。
【０１０３】
電話機側回線変換装置１４は、交換機側回線変換装置１５から呼出信号開始情報を含むモデム信号を受信し、ＩＰパケットの内容に応じて呼出信号（ＩＲ）をアナログ内線トランクＴＲＡに送出する（ステップＳ１５）。アナログ電話機Ａ−ＴＥＬから相手先を呼び出している呼出音を聴取する。
【０１０４】
図８はこの発明に係る相手先の応答の動作シーケンス図である。図８において、アナログ電話機Ａ−ＴＥＬからのダイヤル発信に対して相手先が着信に応答すると、ＰＢＸ本体（制御装置３４）は、接続処理を行い、呼出信号の終了をアナログ内線トランクＴＲＡに指示する。アナログ内線トランクＴＲＡは、呼出信号の送出を終了する。
【０１０５】
交換機側回線変換装置１５は、呼出信号終了を検出し、その情報をＩＰ信号に組み立て、呼出信号終了情報を含むＩＰパケットをモデム信号に変換してアナログ専用線１６を介して電話機側回線変換装置１４に送信する（ステップＳ１６）。
【０１０６】
電話機側回線変換装置１４は、交換機側回線変換装置１５から呼出信号終了情報を含むモデム信号を受信し、ＩＰパケットの内容に応じてアナログ電話機Ａ−ＴＥＬへの呼出信号の送出を終了する（ステップＳ１７）。
【０１０７】
アナログ電話機Ａ−ＴＥＬの呼出音が停止し、通話が可能となる。通話において、交換機側回線変換装置１５は、音声信号を抽出し、音声データに変換（ＩＰパケット）し、モデム信号（ＩＰパケットの音声データ）を電話機側回線変換装置１４に送信する（ステップＳ１８）。電話機側回線変換装置１４は、モデム信号（ＩＰパケットの音声データ）を受信し、アナログ信号ＳＡに変換してアナログ電話機Ａ−ＴＥＬに送信する（ステップＳ１９）。
【０１０８】
図９はこの発明に係るアナログ電話機の着信応答動作シーケンス図である。図９において、ＰＢＸ本体（制御装置３４）は、発呼者からの発呼信号に応じ、該当する内線（アナログ回線ＬＡ）を使用中としてアナログ内線トランクＴＲＡに被呼者呼出を指示し、被呼者呼出処理を行う（ステップＳ２１）。アナログ内線トランクＴＲＡは、アナログ回線ＬＡに呼出信号を送出する（ステップＳ２２）。
【０１０９】
交換機側回線変換装置１５は、呼出信号を検出し、その情報をＩＰ信号に組み立て、呼出信号情報を含むＩＰパケットをモデム信号に変換してアナログ専用線１６を介して電話機側回線変換装置１４に送信する（ステップＳ２３）。
【０１１０】
電話機側回線変換装置１４は、交換機側回線変換装置１５から呼出信号情報を含むモデム信号を受信し、ＩＰパケットの内容に応じてアナログ電話機Ａ−ＴＥＬへの呼出信号を送出する（ステップＳ２４）。
【０１１１】
アナログ電話機Ａ−ＴＥＬから着信音が鳴動するので、アナログ電話機Ａ−ＴＥＬのオフフック操作をすると、ループが閉結する（ステップＳ２５）。
【０１１２】
電話機側回線変換装置１４は、ループ閉結を検出し、その情報をＩＰ信号に組み立て、ループ閉結情報を含むＩＰパケットをモデム信号に変換してアナログ専用線１６を介して交換機側回線変換装置１５に送信する（ステップＳ２６）。同時に電話機側回線変換装置１４は、音声通信路処理を開始する。
【０１１３】
交換機側回線変換装置１５は、電話機側回線変換装置１４からループ閉結情報を含むモデム信号を受信し、ＩＰパケットの内容に応じてアナログ内線トランクＴＲＡと接続されているアナログ回線ＬＡのループを閉結する（ステップＳ２７）。同時に交換機側回線変換装置１５は、音声通信路処理を開始する。
【０１１４】
アナログ内線トランクＴＲＡは、ループ閉結を検出し、ループ閉結をＰＢＸ本体（制御装置３４）に通知する（ステップＳ２８）。ＰＢＸ本体（制御装置３４）は、該当する内線（アナログ回線ＬＡ）を通話中とし、呼出信号を終了する。アナログ内線トランクＴＲＡは、呼出音の送出を停止する。
【０１１５】
交換機側回線変換装置１５は、呼出信号の終了を検出し、その情報をＩＰ信号に組み立て、ループ閉結情報を含むＩＰパケットをモデム信号に変換してアナログ専用線１６を介して電話機側回線変換装置１４に送信する。
【０１１６】
電話機側回線変換装置１４は、交換機側回線変換装置１５からループ閉結情報を含むモデム信号を受信し、ＩＰパケットの内容に応じてアナログ電話機Ａ−ＴＥＬへの呼出信号の送出を終了する。アナログ電話機Ａ−ＴＥＬは、呼出音が停止して通話が可能となる。なお、通話の動作シーケンスは、図７に示すステップＳ１８およびステップＳ１９と同様に実行する。
【０１１７】
図１０この発明に係る相手先からの通話終了の動作シーケンス図である。図１０において、アナログ電話機Ａ−ＴＥＬと相手先が通話中の状態から、相手先が通話終了操作（オンフック）を行うと、ＰＢＸ本体（制御装置３４）は、切断処理を行い、ＢＴ（ビジートーン）の送出をアナログ内線トランクＴＲＡに指示する（ステップＳ２９）。アナログ内線トランクＴＲＡは、切断処理を行い、ＢＴ（ビジートーン）音を交換機側回線変換装置１５に送出する（ステップＳ３０）。
【０１１８】
交換機側回線変換装置１５は、ＢＴ（ビジートーン）音を検出し、その情報をＩＰ信号に組み立て、ＢＴ音送出情報を含むモデム信号をアナログ専用線１６を介して電話機側回線変換装置１４に送信する（ステップＳ３１）。
【０１１９】
電話機側回線変換装置１４は、交換機側回線変換装置１５からＢＴ音送出情報を含むモデム信号を受信し、ＩＰパケットの内容に応じてアナログ電話機Ａ−ＴＥＬにＢＴ（ビジートーン）音を送出する（ステップＳ３２）。
【０１２０】
アナログ電話機Ａ−ＴＥＬでＢＴ（ビジートーン）音が鳴動し、オンフック操作をすると、アナログ電話機Ａ−ＴＥＬはループを開放する（ステップＳ３３）。
【０１２１】
電話機側回線変換装置１４は、ループ開放を検出し、その情報をＩＰ信号に組み立て、ループ開放情報を含むモデム信号をアナログ専用線１６を介して交換機側回線変換装置１５に送信する（ステップＳ３４）。電話機側回線変換装置１４は、同時に通話路処理を終了する。
【０１２２】
交換機側回線変換装置１５は、電話機側回線変換装置１４からループ開放情報を含むモデム信号を受信し、ＩＰパケットの内容に応じてアナログ内線トランクＴＲＡと接続されているアナログ回線ＬＡのループを開放する（ステップＳ３４）。交換機側回線変換装置１５は、同時に通話路処理を終了する。
【０１２３】
アナログ内線トランクＴＲＡは、ループ開放を検出し、ループ開放をＰＢＸ本体（制御装置３４）に通知する（ステップＳ３６）。ＰＢＸ本体（制御装置３４）は、該当する内線（アナログ回線ＬＡ）に対するＢＴ（ビジートーン）音の送出を停止し、該当する内線（アナログ回線ＬＡ）を開放する。アナログ内線トランクＴＲＡは、交換機側回線変換装置１５へのＢＴ（ビジートーン）音送出を停止する。
【０１２４】
交換機側回線変換装置１５は、ＢＴ音終了を検出し、その情報をＩＰ信号に組み立て、ＢＴ音終了情報を含むモデム信号をアナログ専用線１６を介して電話機側回線変換装置１４に送信する。
【０１２５】
電話機側回線変換装置１４は、交換機側回線変換装置１５からＢＴ音終了情報を含むモデム信号を受信し、ＩＰパケットの内容に応じてアナログ電話機Ａ−ＴＥＬへのＢＴ音送出を停止する。
【０１２６】
図１１はこの発明に係るアナログ電話機からの通話終了動作シーケンス図である。図１１において、アナログ電話機Ａ−ＴＥＬと相手先が通話中の状態から、アナログ電話機Ａ−ＴＥＬをオンフック操作すると、アナログ電話機Ａ−ＴＥＬは、ループを開放する（ステップＳ３７）。
【０１２７】
電話機側回線変換装置１４は、ループ開放を検出し、その情報をＩＰ信号に組み立て、ループ開放情報を含むモデム信号をアナログ専用線１６を介して電話機側回線変換装置１５に送信する（ステップＳ３８）。電話機側回線変換装置１４は、同時に通話路処理を終了する。
【０１２８】
交換機側回線変換装置１５は、電話機側回線変換装置１４からループ開放情報を含むモデム信号を受信し、ＩＰパケットの内容に応じてアナログ内線トランクＴＲＡと接続されているアナログ回線ＬＡのループを開放する（ステップＳ３９）。交換機側回線変換装置１５は、同時に通話路処理を終了する。
【０１２９】
アナログ内線トランクＴＲＡは、ループ開放を検出し、ＰＢＸ本体（制御装置３４）にオンフックを通知する（ステップＳ４０）。ＰＢＸ本体（制御装置３４）は、該当する内線（アナログ回線ＬＡ）の終話処理を行い、アナログ回線ＬＡを開放する。
【０１３０】
以上説明したように、この発明に係る構内交換システム１１は、アナログ電話機Ａ−ＴＥＬ、ディジタル電話機Ｄ−ＴＥＬおよびＩＳＤＮ電話機Ｉ−ＴＥＬを接続する電話機側回線変換装置１４と、アナログ内線トランクＴＲＡ、ディジタル内線トランクＴＲＤおよびＩＳＤＮ内線トランクＴＲＩを接続する交換機側回線変換装置１５と、電話機側回線変換装置１４と交換機側回線変換装置１５を接続する単一のアナログ専用線１６とからなる回線集約・変換手段１２を備え、アナログ専用線、ディジタル専用線およびＩＳＤＮ専用線を単一のアナログ専用線１６に集約して回線変換するので、アナログ信号ＳＡ、ディジタル信号ＳＤおよびＩＳＤＮ信号ＳＩを統一信号（ＩＰパケットのモデム信号ＳＭ）に変換し、統一信号（モデム信号ＳＭ）を単一のアナログ専用線１６を介して伝送した後、アナログ信号ＳＡ、ディジタル信号ＳＤおよびＩＳＤＮ信号ＳＩに逆変換するので、電話機の種類ごとに異なる複数の通信メディアを共通の通信メディアとし、複数の専用線を単一のアナログ専用線で賄うことことができ、アナログ専用線の有効利用を図り、専用線ならびに通信費のコストダウンを実現することができる。
【０１３１】
次に、この発明に係る構内交換システムの回線変換方法について説明する。図１２はこの発明に係る構内交換システムの回線変換方法の一実施の形態要部動作フロー図である。なお、動作フローは、図１を参照して説明する。
【０１３２】
図１２において、この発明に係る構内交換システムの回線変換方法は、電話機からの呼制御情報および音声情報を所定信号（モデム信号）に変換し、アナログ専用線を介して所定信号（モデム信号）を伝送するとともに、アナログ専用線からの所定信号（モデム信号）を逆変換して構内交換機に提供する回線変換方法であって、ステップＰ１では、電話機から呼制御情報（ＪＣ）および音声情報（ＪＡ）を受信する。
【０１３３】
ステップＰ２では、呼制御情報（ｊＣ）および音声情報（ＪＡ）をＩＰ信号（ＳＩＰ）に変換する。
【０１３４】
ステップＰ３では、ＩＰ信号（ＳＩＰ）に変調を施し、変調信号（ＳＭ）を出力する。なお、ステップＰ１〜ステップＰ３の動作は、電話機側回線変換装置２が実行する。
【０１３５】
ステップＰ４では、アナログ専用線を介して変調信号（ＳＭ）を伝送する。
【０１３６】
ステップＰ５では、変調信号（ＳＭ）をＩＰ信号（ＳＩＰ）に復調する。
【０１３７】
ステップＰ６では、ＩＰ信号（ＳＩＰ）を呼制御情報（ＪＣ）および音声情報（ＪＡ）に逆変換する。
【０１３８】
ステップＰ７では、呼制御情報（ＪＣ）および音声情報（ＪＡ）を構内交換機に伝送する。なお、ステップＰ５〜ステップＰ７の動作は、交換機側回線変換装置３が実行する。
【０１３９】
このように、この発明に係る構内交換システムの回線変換方法は、電話機から呼制御情報および音声情報を受信するステップＳ１と、呼制御情報および音声情報をＩＰ信号に変換するステップＳ２と、ＩＰ信号に変調を施し、変調信号を出力するステップＳ３と、アナログ専用線を介して変調信号を伝送するステップＳ４と、変調信号をＩＰ信号に復調するステップＳ５と、ＩＰ信号を呼制御情報および音声情報に逆変換するステップＳ６と、呼制御情報および音声情報を構内交換機に伝送するステップＳ７とを備えたので、アナログ回線を用いて構内交換機が収容可能なアナログ電話機、ディジタル電話機およびＩＳＤＮ電話機等の各種電話機および構内交換機を何ら変更することなく、遠隔地に設置された電話機と構内交換機間の信号伝送を実現することができ、アナログ専用線（特に、既設のアナログ専用線）の有効利用を図り、専用線ならびに通信費のコストダウンを実現することができる。
【０１４０】
続いて、この発明に係る構内交換システムの回線集約・変換方法について説明する。図１３はこの発明に係る構内交換システムの回線集約・変換方法の一実施の形態要部動作フロー図である。なお、動作フローは、図２を参照して説明する。
【０１４１】
図１３において、この発明に係る構内交換システムの回線集約・変換方法は、アナログ電話機からのアナログ信号（ＳＡ）、ディジタル電話機からのディジタル信号（ＳＤ）およびＩＳＤＮ電話機からのＩＳＤＮ信号（ＳＩ）を統一信号に変換し、アナログ専用線を介して統一信号を伝送し、統一信号をアナログ信号、ディジタル信号およびＩＳＤＮ信号に逆変換して構内交換機に提供する回線集約・変換方法であって、ステップＰ１１では、電話機からアナログ信号（ＳＡ）、ディジタル信号（ＳＤ）およびＩＳＤＮ信号（ＳＩ）を受信する。
【０１４２】
ステップＰ１２では、アナログ信号（ＳＡ）、ディジタル信号（ＳＤ）およびＩＳＤＮ信号（ＳＩ）をＩＰ信号（ＳＰ）に変換する。
【０１４３】
ステップＰ１３では、ＩＰ信号（ＳＰ）に変調を施し、変調信号（ＳＭ）を出力する。なお、ステップＰ１１〜ステップＰ１３の動作は、電話機側回線変換装置１４が実行する。
【０１４４】
ステップＰ１４では、単一のアナログ専用線を介して変調信号（ＳＭ）を伝送する。なお、ステップＰ１４の動作は、アナログ専用線１６を介して実行する。
【０１４５】
ステップＰ１５では、変調信号（ＳＭ）を受信し、ＩＰ信号（ＳＰ）に復調する。
【０１４６】
ステップＰ１６では、ＩＰ信号（ＳＰ）をアナログ信号（ＳＡ）、ディジタル信号（ＳＤ）およびＩＳＤＮ信号（ＳＩ）に逆変換する。
【０１４７】
ステップＰ１７では、アナログ信号（ＳＡ）、ディジタル信号（ＳＤ）およびＩＳＤＮ信号（ＳＩ）を構内交換機に伝送する。なお、ステップＰ１５〜ステップＰ１７の動作は、交換機側回線変換装置１５が実行する。
【０１４８】
このように、この発明に係る構内交換システムの回線集約・変換方法は、電話機からアナログ信号（ＳＡ）、ディジタル信号（ＳＤ）およびＩＳＤＮ信号（ＳＩ）を受信するステップＰ１１と、アナログ信号（ＳＡ）、ディジタル信号（ＳＤ）およびＩＳＤＮ信号（ＳＩ）をＩＰ信号（ＳＰ）に変換するステップＰ１２と、ＩＰ信号（ＳＰ）に変調を施し、変調信号（ＳＭ）を出力するステップＰ１３と、単一のアナログ専用線を介して変調信号（ＳＭ）を伝送するステップＰ１４と、変調信号（ＳＭ）を受信し、ＩＰ信号（ＳＰ）に復調するステップＰ１５と、ＩＰ信号（ＳＰ）をアナログ信号（ＳＡ）、ディジタル信号（ＳＤ）およびＩＳＤＮ信号（ＳＩ）に逆変換するステップＰ１６と、アナログ信号（ＳＡ）、ディジタル信号（ＳＤ）およびＩＳＤＮ信号（ＳＩ）を構内交換機に伝送するステップＰ１７とを備えたので、電話機の種類（アナログ電話機、ディジタル電話機、ＩＳＤＮ電話機）ごとに異なる複数の専用線（アナログ専用線、ディジタル専用線、ＩＳＤＮ専用線）を単一のアナログ回線で賄い、電話機ならびに構内交換機を何ら変更することなく、電話機および構内交換機相互間の信号伝送を実現することができ、アナログ専用線の有効利用を図り、専用線ならびに通信費のコストダウンを実現することができる。
【産業上の利用可能性】
【０１４９】
本発明に係る構内交換システムは、アナログ専用線を用いて遠隔地に各種電話機（アナログ電話機、ディジタル電話機、ＩＳＤＮ電話機）を設置する構内交換システムに適用することができ、また、種類の異なる電話機（アナログ電話機、ディジタル電話機、ＩＳＤＮ電話機）を増設しても、単一のアナログ専用線で通信が可能な、利便性が高く経済性に優れ、構内交換機と異なる種類の電話機（アナログ電話機、ディジタル電話機、ＩＳＤＮ電話機）を専用線で接続するあらゆる構内交換システムに適用することができる。
【図面の簡単な説明】
【０１５０】
【図１】この発明に係る構内交換システムの一実施の形態基本ブロック構成図
【図２】この発明に係る構内交換システムの別実施の形態ブロック構成図
【図３】この発明に係る電話機側回線変換装置の一実施の形態要部ブロック構成図
【図４】この発明に係る交換機側回線変換装置の一実施の形態要部ブロック構成図
【図５】この発明に係る構内交換機の一実施の形態要部ブロック構成図
【図６】この発明に係るアナログ電話機からの発呼動作シーケンス図
【図７】この発明に係るアナログ電話機から相手先へのダイヤル発信動作シーケンス図
【図８】この発明に係る相手先の応答の動作シーケンス図
【図９】この発明に係るアナログ電話機の着信応答動作シーケンス図
【図１０】この発明に係る相手先からの通話終了の動作シーケンス図
【図１１】この発明に係るアナログ電話機からの通話終了動作シーケンス図
【図１２】この発明に係る構内交換システムの回線変換方法の一実施の形態要部動作フロー図
【図１３】この発明に係る構内交換システムの回線集約・変換方法の一実施の形態要部動作フロー図
【図１４】従来の構内交換システムのシステム構成図
【符号の説明】
【０１５１】
１，１１    構内交換システム
２，１４    電話機側回線変換装置
３，１５    交換機側回線変換装置
４，１３    構内交換機
５，１６    アナログ専用線
６    電話機側信号変換手段
７    交換機側信号変換手段
８  内線トランク
１２    回線集約・変換手段
１７ａ１，１７ｂ１    アナログインタフェース
１７ａ２，１７ｂ２    ディジタルインタフェース
１７ａ３，１７ｂ３    ＩＳＤＮインタフェース
１８ａ，１８ｂ    ＩＰ変換装置
１９ａ，１９ｂ    暗号／復号装
２０ａ，２０ｂ    モデム装置
２１ａ，２１ｂ    Ａ−Ｄ変換部
２２ａ，２２ｂ    制御信号検出部
２３ａ，２３ｂ，２５ａ，２５ｂ，２７ａ．２７ｂ    圧縮／伸長部
２４ａ，２４ｂ，２６ａ，２６ｂ，２８ａ，２８ｂ    制御信号処理部
２９ａ，２９ｂ，３０ａ，３０ｂ，３１ａ，３１ｂ    ＩＰ処理部
３２ａ，３２ｂ    ＩＰパケット多重／分離部
３３    通話路スイッチ
３４    制御装置
３５    記憶装置
Ａ−ＴＥＬ    アナログ電話機
Ｄ−ＴＥＬ    ディジタル電話機
Ｉ−ＴＥＬ    ＩＳＤＮ電話機
ＬＡ    アナログ回線
ＬＤ    ディジタル回線
ＬＩ    ＩＳＤＮ回線
ＳＡ，ＳＯ    アナログ信号
ＳＤ    ディジタル信号
ＳＩ    ＩＳＤＮ信号
ＳＭ    モデム信号
ＢＵＳ    制御バス
ＴＲＡ    アナログ内線トランク
ＴＲＤ    ディジタル内線トランク
ＴＲＩ    ＩＳＤＮ内線トランク
ＣＯＴ    局線トランク
ＮＴ    公衆網
ＴＥＬ    電話機
【図１】
2006060601.tif 000003
【図２】
2006060601.tif 000004
【図３】
2006060601.tif 000005
【図４】
2006060601.tif 000006
【図５】
2006060601.tif 000007
【図６】
2006060601.tif 000008
【図７】
2006060601.tif 000009
【図８】
2006060601.tif 000010
【図９】
2006060601.tif 000011
【図１０】
2006060601.tif 000012
【図１１】
2006060601.tif 000013
【図１２】
2006060601.tif 000014
【図１３】
2006060601.tif 000015
【図１４】
2006060601.tif 000016